(57)【要約】【課題】ダイバーシチ受信が可能な受信装置における動作状態を適切に管理する。【解決手段】複数のＲＦチューナ２Ａ〜２Ｃと、使用するＲＦチューナを選択する選択スイッチ３と、選択スイッチ３で選択されたＲＦチューナから出力される信号を復調するデジタル復調部４を備える。受信対象となる放送波に含まれる情報に応じて、複数のＲＦチューナの出力信号を合成してデジタル復調部４に入力する第１の状態と、単独のＲＦチューナの出力信号をデジタル復調部４に入力する第２の状態との間で受信装置の状態を切り替えるように、選択スイッチ３を制御する。【選択図】　　　図１
2004120144.tif 000002
【特許請求の範囲】
【請求項１】
放送を受信する受信装置において、
第１のチューナと、
第２のチューナと、
前記第１のチューナあるいは前記第２のチューナから出力される信号を復調する復調部と、
前記第１のチューナおよび前記第２のチューナの出力を合成して前記復調部に入力する第１の状態と、前記第１のチューナの出力を単独で前記復調部に入力する第２の状態との間で受信装置の状態を切り替える切替手段と、
受信対象となる放送波に含まれる情報に応じて前記切替手段を制御する制御手段と、
を備えることを特徴とする受信装置。
【請求項２】
放送を受信する受信装置において、
複数のアンテナと、
前記複数のアンテナのうち少なくともいずれか１つのアンテナで受信された信号を受けるチューナと、
前記複数のアンテナの中から使用されるアンテナを切り替える切替手段と、
受信対象となる放送波に含まれる情報に応じて前記切替手段を制御する制御手段と、
を備えることを特徴とする受信装置。
【請求項３】
前記情報として、前記放送波の変調方式を用いることを特徴とする請求項１または２に記載の受信装置。
【請求項４】
前記情報として、前記放送波のキャリア間隔および／またはガードインターバルを用いることを特徴とする請求項１または２に記載の受信装置。
【請求項５】
前記情報として、前記放送波に付加された誤り訂正符号を用いることを特徴とする請求項１または２に記載の受信装置。
【請求項６】
放送を受信する受信装置において、
第１のチューナと、
第２のチューナと、
前記第１のチューナあるいは前記第２のチューナから出力される信号を復調する復調部と、
前記第１のチューナおよび前記第２のチューナの出力を合成して前記復調部に入力する第１の状態と、前記第１のチューナの出力を単独で前記復調部に入力する第２の状態との間で受信装置の状態を切り替える切替手段と、
受信装置の環境を示す情報に応じて前記切替手段を制御する制御手段と、
を備えることを特徴とする受信装置。
【請求項７】
放送を受信する受信装置において、
複数のアンテナと、
前記複数のアンテナのうち少なくともいずれか１つのアンテナで受信された信号を受けるチューナと、
前記複数のアンテナの中から使用するアンテナを切り替える切替手段と、
受信装置の環境を示す情報に応じて前記切替手段を制御する制御手段と、
を備えることを特徴とする受信装置。
【請求項８】
前記情報として、受信場所を用いることを特徴とする請求項６または７に記載の受信装置。
【請求項９】
前記情報として、地図情報を用いることを特徴とする請求項６または７に記載の受信装置。
【請求項１０】
前記情報として、受信装置の移動速度を示す速度情報を用いることを特徴とする請求項６または７に記載の受信装置。
【請求項１１】
前記情報として、天気情報を用いることを特徴とする請求項６または７に記載の受信装置。
【発明の詳細な説明】
【０００１】
【発明の属する技術分野】
本発明は、放送を受信するための受信装置に関する。
【０００２】
【従来の技術】
放送受信においては、放送信号の状態が受信状況に与える影響が大きく、とくに車両等の移動体で放送を受信する場合には、受信場所に応じて刻々と変化する放送信号の状態に適切に対応する必要がある。放送信号が劣化しても良好な受信状況を得ようとする技術として、ダイバーシチ受信が知られている（例えば、特許文献１参照。）。ダイバーシチ受信とは、複数のアンテナを同時に使用して受信を行う技術であり、放送信号の状態に応じて単数または複数のアンテナを適切に選択できるため、通常の受信方式と比較してより安定した受信状態を得ることができる。
【特許文献１】
特開２０００−３３２６６５号公報
【０００３】
【発明が解決しようとする課題】
しかし、ダイバーシチ受信は、複数のアンテナやチューナを同時に動作させる方式であるため、無駄な動作をさせた場合に消費電力が増大する等の欠点がある。
【０００４】
本発明は、このような欠点を解消し、動作状態を適切に管理することができる受信装置を提供することなどを目的とする。
【０００５】
【課題を解決するための手段】
請求項１に記載の受信装置は、放送を受信する受信装置において、第１のチューナと、第２のチューナと、前記第１のチューナあるいは前記第２のチューナから出力される信号を復調する復調部と、前記第１のチューナおよび前記第２のチューナの出力を合成して前記復調部に入力する第１の状態と、前記第１のチューナの出力を単独で前記復調部に入力する第２の状態との間で受信装置の状態を切り替える切替手段と、受信対象となる放送波に関する情報に応じて前記切替手段を制御する制御手段と、を備えることを特徴とする。
【０００６】
請求項２に記載の受信装置は、放送を受信する受信装置において、複数のアンテナと、前記複数のアンテナのうち少なくともいずれか１つのアンテナで受信された信号を受けるチューナと、前記複数のアンテナの中から使用するアンテナを切り替える切替手段と、受信対象となる放送波に関する情報に応じて前記切替手段を制御する制御手段と、を備えることを特徴とする。
【０００７】
請求項６に記載の受信装置は、放送を受信する受信装置において、第１のチューナと、第２のチューナと、前記第１のチューナあるいは前記第２のチューナから出力される信号を復調する復調部と、前記第１のチューナおよび前記第２のチューナの出力を合成して前記復調部に入力する第１の状態と、前記第１のチューナの出力を単独で前記復調部に入力する第２の状態との間で受信装置の状態を切り替える切替手段と、受信装置の環境に関する情報に応じて前記切替手段を制御する制御手段と、を備えることを特徴とする。
【０００８】
請求項７に記載の受信装置は、放送を受信する受信装置において、複数のアンテナと、前記複数のアンテナのうち少なくともいずれか１つのアンテナで受信された信号を受けるチューナと、前記複数のアンテナの中から使用するアンテナを切り替える切替手段と、受信装置の環境に関する情報に応じて前記切替手段を制御する制御手段と、を備えることを特徴とする。
【０００９】
【発明の実施の形態】
−第１の実施形態−
以下、図１〜図３を参照して、本発明による受信装置の第１の実施形態について説明する。
【００１０】
図１は第１の実施形態の受信装置の構成を示すブロック図である。図１に示すように、第１の実施形態の受信装置１００は、第１〜第３のアンテナ１Ａ〜１Ｃと、第１〜第３のアンテナ１Ａ〜１Ｃがそれぞれ接続されたＲＦチューナ２Ａ〜２Ｃと、ＲＦチューナ２Ａ〜２Ｃのうち、任意の単数または複数のＲＦチューナを選択する選択スイッチ３と、選択スイッチ３により選択されたＲＦチューナの出力信号を受けるデジタル復調部４と、デジタル復調部４の出力信号の誤りを訂正する誤り訂正部５と、誤り訂正部５の出力信号を多重分離する多重分離部６と、多重分離部６から出力されるデジタル信号を復号する復号部７とを備える。復号部７は映像データ、音声データおよび文字データ等の各種データをそれぞれ復号する映像復号部７ａ、音声復号部７ｂおよびデータ復号部７ｃを具備する。
【００１１】
また、受信装置１００は、装置各部において得られる情報および装置の外部から入力される情報に基づいてＲＦチューナの選択に関する判断を実行する判断部８と、判断部８における処理に必要なデータを記憶するメモリ９とを備える。図１に示すように、選択スイッチ３は判断部８からの信号に従って制御される。
【００１２】
判断部８には、受信対象となる放送波に含まれる各種情報が装置各部から入力されるとともに、受信装置１００外部から受信装置１００の環境を示す情報が入力される。判断部８では、入力されたこれらの情報に基づいて、受信装置１００の受信モードを最適な受信モードに設定する。
【００１３】
次に、受信装置１００の動作について説明する。受信装置１００の動作は判断部８による制御に従って実行される。
【００１４】
図２は、受信装置１００の判断部８における処理を示すフローチャートである。この処理では、３種類の受信モードから適切な受信モード（モードＡ、モードＢおよびモードＣ）を選択する例を示している。モードＡは単独のＲＦチューナ（例えば、ＲＦチューナ２Ａ）を用いて受信する受信モードであり、モードＢは２つのＲＦチューナ（例えば、ＲＦチューナ２Ａおよび２Ｂ）の出力を合成してデジタル復調部４に入力する受信モードである。また、モードＣは３つのＲＦチューナ２Ａ〜２Ｃの出力信号を合成してデジタル復調部４に入力する受信モードである。
【００１５】
図２のステップＳ１では、受信信号が入力されるのを待ってステップＳ２へ進み、受信装置１００の状態をモードＣに設定する（ステップＳ２）。ステップＳ１において、受信信号の有無は、例えばパイロット信号のデータに基づいて判断する。次に、受信信号情報が取得されているか否か判断する（ステップＳ３）。ここで、ステップＳ２において設定されたモードＣは、受信対象となる放送波を受信できる可能性が最も高くなる受信モードである。したがって、モードＣで受信信号情報が取得できない場合には、いずれの受信モードでも受信対象となる放送波を受信することができないことを示している。したがって、ステップＳ３の判断が否定された場合には、受信装置１００では受信対象となる放送波（プログラム）を受信できないものと判断し（ステップＳ４）、図２に示す処理を終了する。
【００１６】
ステップＳ３において、受信信号情報が取得されていると判断された場合、ステップＳ６へ進む。ステップＳ６では、装置各部において得られる受信電力等の情報および装置外部から入力された情報と、メモリ９に記憶されている条件とを比較する。次に、ステップＳ６における比較結果に従って、受信モードをモードＡ〜Ｃのいずれかに設定する。なお、ステップＳ６およびステップＳ７における処理についてはさらに後述する。
【００１７】
次に、処理を継続すべきかあるいは終了すべきかを判断し、処理を終了すべきであると判断されれば、図２に示す処理を終了し、処理を継続すべきであると判断されればステップＳ９へ進む（ステップＳ８）。ステップＳ９では、所定時間待機した後、ステップＳ６へ戻る。このように、ステップＳ６およびステップＳ７における処理は、ほぼ一定時間ごとに繰り返される。
【００１８】
ステップＳ６およびステップＳ７における上記処理では、入力された情報とメモリ９に格納された条件とを対比し、受信モードを設定している。図３はメモリ９に記憶されたテーブルを例示する図である。この例では、受信対象である放送波の変調方式とその放送波の受信電力に基づいて、受信モードを設定する例を示している。受信対象である放送波の変調方式がＱＰＳＫ（Ｑｕａｄｒａｔｕｒｅ　Ｐｈａｓｅ　Ｓｈｉｆｔ　Ｋｅｙｉｎｇ）である場合、受信電力が−６０ｄＢｍ以下であればモードＢが、受信電力が−５９ｄＢｍ〜−３０ｄＢｍであればモードＡが、受信電力が−２９ｄＢｍ以上であればモードＡが、それぞれ選択される。受信対象である放送波の変調方式が１６ＱＡＭ（Ｑｕａｄｒａｔｕｒｅ　Ａｍｐｌｉｔｕｄｅ　Ｍｏｄｕｌａｔｉｏｎ）である場合、受信電力が−６０ｄＢｍ以下であればモードＣが、受信電力が−５９ｄＢｍ〜−３０ｄＢｍであればモードＢが、受信電力が−２９ｄＢｍ以上であればモードＡが、それぞれ選択される。受信対象である放送波の変調方式が６４ＱＡＭ（ＱｕａｄｒａｔｕｒｅＡｍｐｌｉｔｕｄｅ　Ｍｏｄｕｌａｔｉｏｎ）である場合、受信電力が−６０ｄＢｍ以下であればモードＣが、受信電力が−５９ｄＢｍ〜−３０ｄＢｍであればモードＣが、受信電力が−２９ｄＢｍ以上であればモードＢが、それぞれ選択される。このように、図３に示す例では、受信対象である放送波の変調方式によって、受信モードの切替条件を異なる条件としている。これは、受信電力が同一であっても変調方式によって良好な受信が可能となる受信方法（受信モード）が変化するためである。
【００１９】
図３に示す例では受信対象である放送波の変調方式とその放送波の受信電力に応じて、受信モードを設定する場合を示したが、条件として種々のパラメータを用いることができる。例えば、受信対象となる放送波に含まれる情報として、受信対象となる放送波のキャリア間隔やガードインターバルを用いることができる。また、受信対象となる放送波に付加された誤り訂正符号やパイロット信号等を用いることもできる。さらに図３の例で示したように、これらの情報と併せて、受信対象となる放送波の受信信号の受信電力を用いてもよい。このような受信電力として、シグナルメータの受信感度に相当する数値を利用してもよいし、受信した放送波をデジタル処理した後の結果を利用してもよい。また、受信電力に代えて、または受信電力とともにデジタル復調部４において得られるビットエラー率に基づいて受信モードを選択するようにしてもよい。
【００２０】
また、受信装置１００の外部からの情報として、例えば、ＧＰＳ等を利用した受信位置を示す情報や地図情報、車速パルスを利用した車速情報、受信時の天気情報等を利用することができる。例えば、受信位置および地図情報に基づいて、現在の受信場所がトンネル内であることが分かれば、現在受信できない理由が電波の遮蔽に起因することが判明する。このため、このような場合には、使用するＲＦチューナの数をいたずらに増加させるような不合理な動作を回避することも可能となる。
【００２１】
受信モードとしてモードＡまたはモードＢが選択されている場合、あるいは上記受信対象となる放送波が受信不能である場合には、上記受信対象となる放送波（メインチャンネル）を受信するために利用されていないＲＦチューナを利用して、別のチャンネル（サブチャンネル）を受信するようにしてもよい。この場合には、モードＣが選択されている間はメインチャンネルのみが受信され、他の受信モードが選択されている間、およびメインチャンネルが受信不能である間は、サブチャンネルがメインチャンネルと並行して、あるいは単独で受信される。サブチャンネルは単数でもよいし複数でもよい。
【００２２】
このように、本実施形態の受信装置では、受信対象となる放送波に含まれる情報に応じて受信モードを切り替えているので、放送波の種類等に応じて適切に受信モードを選択することができる。したがって、不要なダイバーシチ受信に起因する消費電力の増大等を有効に防止できる。また、メインチャンネルの受信に使用していない装置や回路をサブチャンネルの受信に振り分けることができるため、受信装置１００をより有効に利用することが可能となる。
【００２３】
なお、上記実施形態において、受信対象となる放送波の変調方式やキャリア間隔、ガードインターバル、受信対象となる放送波に付加された誤り訂正符号やパイロット信号が受信対象となる放送波に含まれる情報に相当する。しかし、本発明による受信装置において、受信対象となる放送波に含まれる情報は、上記実施形態に例示されたものに限定されない。
【００２４】
また、本実施形態において、受信装置の環境を示す情報として受信位置や地図情報等を例示したが、受信装置の環境を示す情報は上記実施形態に例示されたものに限定されることはない。
【００２５】
本実施形態では、ＲＦチューナの直後に選択スイッチ３を設けているが、選択スイッチをさらに後段、例えば、デジタル復調部の後段あるいは誤り訂正部の後段等に設けても良い。
【００２６】
また、ＲＦチューナの数は限定されず、２以上の任意の個数のＲＦチューナを設けることができる。
【００２７】
−第２の実施形態−
図４は、本発明による受信装置の第２の実施形態の構成を示すブロック図である。図４では、第１の実施形態と同一要素には、同一符号を付している。
【００２８】
図４に示すように、第２の実施形態の受信装置２００は、第１〜第３のアンテナ１１Ａ〜１１Ｃと、アンテナ１１Ａ〜１１Ｃのうち、任意の単数または複数のアンテナを選択する選択スイッチ１３と、選択スイッチ１３により選択されたアンテナからの受信信号を受けるＲＦチューナ１２と、ＲＦチューナ１２の出力信号を受けるデジタル復調部４と、デジタル復調部４の出力信号の誤りを訂正する誤り訂正部５と、誤り訂正部５の出力信号を多重分離する多重分離部６と、多重分離部６から出力される符号を復号する復号部７とを備える。復号部７は映像データ、音声データおよび文字データ等の各種データをそれぞれ復号する映像復号部７ａ、音声復号部７ｂおよびデータ復号部７ｃを具備する。
【００２９】
また、受信装置２００は、装置各部において得られる情報に基づいてアンテナの選択に関する判断を実行する判断部１８と、判断部１８における処理に必要なデータを記憶するメモリ１９とを備える。図４に示すように、選択スイッチ１３は判断部１８からの信号に従って制御される。
【００３０】
判断部１８には、受信対象となる放送波に含まれる各種情報が装置各部から入力されるとともに、受信装置２００の外部から受信装置２００の環境を示す情報が入力される。判断部１８では、入力されたこれらの情報に基づいて、最適なアンテナを選択する。判断部１８におけるアンテナの選択には受信装置２００の各部から得られる受信対象となる放送波に含まれる情報を反映させることができる。また、判断部１８におけるアンテナの選択に受信装置の環境を示す情報を反映させることができる。
【００３１】
さらに、第１の実施形態と同様、受信対象となる放送波に含まれる情報および受信装置の環境を示す情報と併せて、受信対象となる放送波の受信信号の受信電力やデジタル復調部４で得られるビットエラー率等を用いてもよい。
【００３２】
受信対象となる放送波に含まれる情報および受信装置の環境を示す情報としては、第１の実施形態と同様の情報を挙げることができる。
【００３３】
上記受信対象となる放送波（メインチャンネル）を受信するために利用されていないアンテナを利用して、別の受信装置により別のチャンネル（サブチャンネル）を受信するようにしてもよい。
【００３４】
このように、本実施形態の受信装置では、受信対象となる放送波に含まれる情報に応じて使用するアンテナを切り替えているので、放送波の種類等に応じて適切なアンテナを選択することができる。したがって、複数のアンテナを無駄に使用することが防止され、空いているアンテナを有効に利用できる。
【００３５】
上記第１の実施形態では、複数のＲＦチューナ２Ａ〜２Ｃと、ＲＦチューナ２Ａ〜２Ｃから出力される信号を復調するデジタル復調部４と、ＲＦチューナ２Ａ〜２Ｃの出力を合成してデジタル復調部４に入力する状態と、ＲＦチューナの出力を単独で復調部４に入力する状態との間で受信装置の状態を切り替える選択スイッチ３と、受信対象となる放送波に関する情報に応じて選択スイッチ３を制御する判断部８と、を備えるので、放送波の種類等に応じて適切に受信モードを選択することができ、不要なダイバーシチ受信に起因する消費電力の増大等を有効に防止できる。また、メインチャンネルの受信に使用していない装置や回路をサブチャンネルの受信に振り分けることができるため、受信装置をより有効に利用することが可能となる。
【００３６】
上記第２の実施形態では、複数のアンテナ１１Ａ〜１１Ｃと、複数のアンテナ１１Ａ〜１１Ｃのうち少なくともいずれか１つのアンテナで受信された信号を受けるＲＦチューナ１２と、複数のアンテナ１１Ａ〜１１Ｃの中から使用するアンテナを切り替える選択スイッチ１３と、受信対象となる放送波に関する情報に応じて選択スイッチ１３を制御する判断部１８と、を備えるので、放送波の種類等に応じて適切に受信モードを選択することができ、不要なダイバーシチ受信に起因する消費電力の増大等を有効に防止できる。また、メインチャンネルの受信に使用していない装置や回路をサブチャンネルの受信に振り分けることができるため、受信装置をより有効に利用することが可能となる。
【００３７】
上記第１の実施形態では、複数のＲＦチューナ２Ａ〜２Ｃと、複数のＲＦチューナ２Ａ〜２Ｃから出力される信号を復調するデジタル復調部４と、複数のＲＦチューナ２Ａ〜２Ｃの出力を合成してデジタル復調部４に入力する状態と、ＲＦチューナの出力を単独でデジタル復調部４に入力する状態との間で受信装置の状態を切り替える選択スイッチ３と、受信装置の環境に関する情報に応じて選択スイッチ３を制御する判断部８と、を備えるので、受信装置の環境に応じて適切に受信モードを選択することができ、不要なダイバーシチ受信に起因する消費電力の増大等を有効に防止できる。また、メインチャンネルの受信に使用していない装置や回路をサブチャンネルの受信に振り分けることができるため、受信装置をより有効に利用することが可能となる。
【００３８】
上記第２の実施形態では、複数のアンテナ１１Ａ〜１１Ｃと、複数のアンテナ１１Ａ〜１１Ｃのうち少なくともいずれか１つのアンテナで受信された信号を受けるＲＦチューナ１２と、複数のアンテナ１１Ａ〜１１Ｃの中から使用するアンテナを切り替える選択スイッチ１３と、受信装置の環境に関する情報に応じて選択スイッチ１３を制御する判断部１８と、を備えるので、受信装置の環境に応じて適切に受信モードを選択することができ、不要なダイバーシチ受信に起因する消費電力の増大等を有効に防止できる。また、メインチャンネルの受信に使用していない装置や回路をサブチャンネルの受信に振り分けることができるため、受信装置をより有効に利用することが可能となる。
【００３９】
上記実施形態の記載および特許請求項の記載の対応に関し、ＲＦチューナ２Ａ〜２Ｃは第１のチューナおよび第２のチューナに、選択スイッチ３，１３は切替手段に、デジタル復調部４は復調部に、判断部８，１８は制御手段に、それぞれ対応する。
【００４０】
なお、以上の説明においてはデジタル放送を受信する受信装置を例に説明したが、ＡＭラジオ、ＦＭラジオ、テレビジョン等のアナログ放送を受信する受信装置に適用することもでき、またデジタル用のものと混在することもできる。アナログ放送の場合、受信対象となる放送波に含まれる情報としては、放送方式や受信電力の他、ステレオ、モノラル、二カ国語等の音声モードを用いることができる。
【図面の簡単な説明】
【図１】第１の実施形態の受信装置の構成を示すブロック図。
【図２】判断部における処理を示すフローチャート。
【図３】メモリに記憶されたテーブルを例示する図。
【図４】第２の実施形態の受信装置の構成を示すブロック図。
【符号の説明】
２Ａ〜２Ｃ　ＲＦチューナ（第１のチューナ、第２のチューナ）
３，１３　選択スイッチ（切替手段）
４　　デジタル復調部（復調部）
８，１８　判断部（制御手段）
１１Ａ〜１１Ｃ　アンテナ
【図１】
2004120144.tif 000003
【図２】
2004120144.tif 000004
【図３】
2004120144.tif 000005
【図４】
2004120144.tif 000006